(57)【要約】  本発明の実施例は情報伝送方法及び装置を提供する。該方法は、第一の装置が第二の装置から送信された、該第二の装置が必要とする第一のシステム情報を示すための第一の指示情報を取得することと、該第一の装置が該第一の指示情報に基づき、該第一のシステム情報を送信することとを含む。本出願の実施例は送信効率を向上させ、シグナリングオーバーヘッドを削減し、リソース浪費を回避することができる。
2019522912.tif 000002
【特許請求の範囲】
【請求項１】
情報伝送方法であって、
第一の装置が第二の装置から送信された、前記第二の装置が必要とする第一のシステム情報を示すための第一の指示情報を取得することと、
前記第一の装置が前記第一の指示情報に基づき、前記第一のシステム情報を送信することとを含む、情報伝送方法。
【請求項２】
前記第一の装置が前記第一の指示情報に基づき、前記第一のシステム情報を送信することは、
前記第一の装置が前記第一の指示情報に基づき、ブロードキャスト又はマルチキャスト又はユニキャストによって前記第一のシステム情報を送信することを含むことを特徴とする
請求項１に記載の方法。
【請求項３】
前記第一の装置は端末装置であり、前記第二の装置は端末装置であり、又は、
前記第一の装置はネットワーク装置であり、前記第二の装置は端末装置であることを特徴とする
請求項１又は２に記載の方法。
【請求項４】
前記第一の装置が第二の装置から送信された第一の指示情報を取得することは、
前記第一の装置が前記第二の装置から送信された、第一の物理層指示情報、又は第一のメディアアクセス制御（ＭＡＣ）層指示情報、又は第一の無線リソース制御（ＲＲＣ）層指示情報である前記第一の指示情報を取得することを含むことを特徴とする
請求項１乃至３のいずれかの一項に記載の方法。
【請求項５】
前記第一の装置が前記第二の装置から送信された前記第一の指示情報を取得することは、
前記第一の装置が前記第一のシステム情報に対応する物理層チャネル又は物理層リソースブロック又は物理層シーケンスから、前記第二の装置からの前記第一の物理層指示情報を取得すること、又は、
前記第一の装置が前記第二の装置からのＭＡＣ層メッセージの前記第一のシステム情報に対応する制御ドメインから、又は前記第二の装置からのＭＡＣ層メッセージのリザーブ制御ドメインにおける前記第一のシステム情報に対応する制御ビットから、前記第一のＭＡＣ層指示情報を取得すること、又は、
前記第一の装置が前記第二の装置からのＲＲＣ層メッセージの前記第一のシステム情報に対応する制御ドメインから、又は前記第二の装置からのＲＲＣ層メッセージのリザーブ制御ドメインにおける前記第一のシステム情報に対応する制御ビットから、前記第一のＲＲＣ層指示情報を取得することを含むことを特徴とする
請求項４に記載の方法。
【請求項６】
前記第一の装置が第二の装置から送信された第一の指示情報を取得する前に、前記方法はさらに、
前記第一の装置が前記第一の装置で送信可能なシステム情報を示すための第二の指示情報を送信することを含むことを特徴とする
請求項１乃至５のいずれか一項に記載の方法。
【請求項７】
前記第一の装置が第二の指示情報を送信することは、
前記第一の装置が前記第二の指示情報をブロードキャストすること、又は
前記第一の装置が専用シグナリングによって前記第二の装置へ前記第二の指示情報を送信することを含むことを特徴とする
請求項６に記載の方法。
【請求項８】
前記第一の装置が第二の指示情報をブロードキャストすることは、
前記第一の装置が第二の物理層指示情報又は第二のＭＡＣ層指示情報又は第二のＲＲＣ層指示情報である前記第二の指示情報をブロードキャストすることを含むことを特徴とする
請求項７に記載の方法。
【請求項９】
前記第一の装置が前記第二の指示情報をブロードキャストすることは、
前記第一の装置が異なる物理層チャネル、又は異なる物理リソースブロック、又は異なる物理層シーケンスによって異なるシステム情報又は異なるシステム情報グループに対応する第二の物理層指示情報を送信すること、又は
前記第一の装置がＲＲＣメッセージの異なる制御ドメインの又は同じ制御ドメインの異なる制御ビットによって異なるシステム情報又はシステム情報グループに対応する第二のＲＲＣ層指示情報を搬送すること、又は
前記第一の装置がＭＡＣメッセージの異なる制御ドメインの又は同じ制御ドメインの異なる制御ビットによって異なるシステム情報又はシステム情報グループに対応する第二のＭＡＣ層指示情報を搬送することを含むことを特徴とする
請求項７又は８に記載の方法。
【請求項１０】
前記方法はさらに、
前記第一の装置が前記第一のシステム情報と関連する第二のシステム情報を確定することと、
前記第一の装置が前記第二のシステム情報を送信することとを含むことを特徴とする
請求項１乃至９のいずれか一項に記載の方法。
【請求項１１】
前記第一の装置が第二のシステム情報を確定することは、
前記第一のシステム情報と同じシステム情報グループに属する他のシステム情報を前記第二のシステム情報として確定すること、及び／又は、
前記第一のシステム情報を使用するサービスに使用される他のシステム情報を前記第二のシステム情報として確定することを含むことを特徴とする
請求項１０に記載の方法。
【請求項１２】
前記システム情報は、
セル選択及び滞在の関連情報、システム情報の所在する情報ブロックのスケジューリング情報、アクセス制限情報、共通チャネルパラメータ、マルチメディアブロードキャストマルチキャストサービス単一周波数ネットワーク（ＭＢＳＦＮ）サブフレームの構成情報、セル再選関連情報、同周波数セル再選情報、異周波数セル再選情報、異システムセル再選情報のうちの少なくとも一つを含むことを特徴とする
請求項１乃至１１のいずれか一項に記載の方法。
【請求項１３】
情報伝送方法であって、
第一の装置が、第二の装置が第一の指示情報を送信するためのリソースで信号を検出した場合、システム情報を送信する必要があることを確定し、前記第一の指示情報が前記システム情報をリクエストすることに用いられることと、
前記第一の装置が前記システム情報を送信することとを含む、情報伝送方法。
【請求項１４】
前記第一の装置が前記システム情報を送信することは、
前記リソースを使用して前記第一の指示情報を送信することができるように構成される端末装置を確定することを含み、
前記第一の装置が前記システム情報を送信することは、前記端末装置へ前記システム情報を送信することを含むことを特徴とする
請求項１３に記載の方法。
【請求項１５】
前記リソースは物理チャネル又は物理リソースブロック又はアンテナポート又はコードワードシーケンスの一つ又は複数の組み合わせであることを特徴とする
請求項１３又は１４に記載の方法。
【請求項１６】
情報伝送方法であって、
第二の装置が前記第二の装置が必要とする第一のシステム情報を示すための第一の指示情報を第一の装置に送信することと、
前記第二の装置が前記第一の装置から送信された前記第一のシステム情報を取得することとを含む、情報伝送方法。
【請求項１７】
前記第二の装置が前記第一の装置から送信された前記第一のシステム情報を取得することは、
前記第二の装置が前記第一の装置がブロードキャスト、マルチキャスト又はユニキャストによって送信した前記第一のシステム情報を取得することを含むことを特徴とする
請求項１６に記載の方法。
【請求項１８】
前記第一の装置は端末装置であり、前記第二の装置は端末装置であり、又は、
前記第一の装置はネットワーク装置であり、前記第二の装置は端末装置であることを特徴とする
請求項１６又は１７に記載の方法。
【請求項１９】
第二の装置が第一の装置へ第一の指示情報を送信することは、
前記第二の装置が前記第一の装置へ第一の物理層指示情報又は第一のメディアアクセス制御（ＭＡＣ）層指示情報又は第一の無線リソース制御（ＲＲＣ）層指示情報である前記第一の指示情報を送信することを含むことを特徴とする
請求項１６乃至１８のいずれか一項に記載の方法。
【請求項２０】
前記第二の装置が前記第一の装置へ前記第一の指示情報を送信することは、
前記第二の装置が前記第一のシステム情報に対応する物理チャネル、又は物理リソースブロック、又は物理層シーケンスによって前記第一の物理層指示情報を送信すること、又は
前記第二の装置がＭＡＣメッセージの前記システム情報に対応する制御ドメイン、又はＭＡＣメッセージのリザーブ制御ドメインにおける前記第一のシステム情報に対応する制御ビットによって前記第一のＭＡＣ層指示情報を送信すること、又は、
前記第二の装置がＲＲＣメッセージの前記システム情報に対応する制御ドメイン、ＲＲＣメッセージのリザーブ制御ドメインにおける前記第一のシステム情報に対応する制御ビットによって前記第一のＲＲＣ層指示情報を送信することを含むことを含むことを特徴とする
請求項１９に記載の方法。
【請求項２１】
前記第二の装置が前記第一のＭＡＣ層指示情報又は前記第一のＲＲＣ層指示情報を送信する前に、前記方法はさらに、
前記第二の装置が前記第二の装置の物理層で共有チャネルによって情報を伝送することを確定することを含むことを特徴とする
請求項２０に記載の方法。
【請求項２２】
前記第二の装置が第一の装置へ第一の指示情報を送信する前に、前記方法はさらに、
前記第二の装置が前記第一の装置から送信された、前記第一の装置で送信可能なシステム情報を示すための第二の指示情報を取得することを含み、
前記第二の装置が第一の装置へ第一の指示情報を送信することは、
前記第二の装置が前記第二の指示情報に基づいて前記第一の装置へ前記第一の指示情報を送信し、前記第一のシステム情報が前記第一の装置で送信可能なシステム情報に属することを含むことを特徴とする
請求項１６乃至２１のいずれか一項に記載の方法。
【請求項２３】
前記第二の装置が前記第一の装置から送信された第二の指示情報を取得することは、
前記第二の装置が前記第一の装置から送信された第二の物理層指示情報、第二のＭＡＣ層指示情報、又は第二のＲＲＣ層指示情報を取得することを含むことを特徴とする
請求項２２に記載の方法。
【請求項２４】
前記第二の装置が前記第一の装置から送信された第二の物理層指示情報、第二のＭＡＣ層指示情報、又は第二のＲＲＣ層指示情報を取得することは、
前記第二の装置が異なる物理層チャネル、又は異なる物理層リソースブロック、又は異なる物理層シーケンスから、異なるシステム情報又は異なるシステム情報グループに対応する前記第二の物理層指示情報を取得すること、又は
前記第二の装置がＲＲＣメッセージの異なる制御ドメインの又は同じ制御ドメインの異なる制御ビットから、異なるシステム情報又は異なるシステム情報グループに対応する前記第二のＲＲＣ層指示情報を取得すること、又は
前記第二の装置がＭＡＣメッセージの異なる制御ドメインの又は同じ制御ドメインの異なる制御ビットから、異なるシステム情報又は異なるシステム情報グループに対応する第二のＭＡＣ層指示情報を取得することを含むことを特徴とする
請求項２３に記載の方法。
【請求項２５】
前記方法はさらに、
前記第二の装置が前記第一の装置から送信された、前記第一のシステム情報と関連する第二のシステム情報を受信することを含むことを特徴とする
請求項１６乃至２４のいずれか一項に記載の方法。
【請求項２６】
前記システム情報は、
セル選択及び滞在の関連情報、システム情報の所在する情報ブロックのスケジューリング情報、アクセス制限情報、共通チャネルパラメータ、マルチメディアブロードキャストマルチキャストサービス単一周波数ネットワーク（ＭＢＳＦＮ）サブフレームの構成情報、セル再選関連情報、同周波数セル再選情報、異周波数セル再選情報、異システムセル再選情報のうちの少なくとも一つを含むことを特徴とする
請求項１６乃至２５のいずれか一項に記載の方法。
【請求項２７】
情報伝送装置であって、処理ユニットと送信ユニットを備え、ここで、
前記処理ユニットは第二の装置から送信された、前記第二の装置が必要とする第一のシステム情報を示すための第一の指示情報を取得するように構成され、
前記送信ユニットが前記第一の指示情報に基づき、前記第一のシステム情報を送信するように構成される、情報伝送装置。
【請求項２８】
前記送信ユニットはさらに、
前記第一の指示情報に基づき、ブロードキャスト又はマルチキャスト又はユニキャストによって前記第一のシステム情報を送信するように構成されることを特徴とする
請求項２７に記載の装置。
【請求項２９】
前記装置は端末装置であり、前記第二の装置は端末装置であり、又は、
前記装置はネットワーク装置であり、前記第二の装置は端末装置であることを特徴とする
請求項２７又は２８に記載の装置。
【請求項３０】
前記処理ユニットはさらに、
前記第二の装置から送信された、第一の物理層指示情報、又は第一のメディアアクセス制御（ＭＡＣ）層指示情報、又は第一の無線リソース制御（ＲＲＣ）層指示情報である前記第一の指示情報を取得するように構成されることを特徴とする
請求項２７乃至２９のいずれか一項に記載の装置。
【請求項３１】
前記処理ユニットはさらに、
前記第一のシステム情報に対応する物理層チャネル又は物理層リソースブロック又は物理層シーケンスから、前記第二の装置からの前記第一の物理層指示情報を取得するように構成され、又は、
前記第二の装置からのＭＡＣ層メッセージの前記第一のシステム情報に対応する制御ドメインから、又は前記第二の装置からのＭＡＣ層メッセージのリザーブ制御ドメインにおける前記第一のシステム情報に対応する制御ビットから、前記第一のＭＡＣ層指示情報を取得するように構成され、又は、
前記第二の装置からのＲＲＣ層メッセージの前記第一のシステム情報に対応する制御ドメインから、又は前記第二の装置からのＲＲＣ層メッセージのリザーブ制御ドメインにおける前記第一のシステム情報に対応する制御ビットから、前記第一のＲＲＣ層指示情報を取得するように構成されることを特徴とする
請求項３０に記載の装置。
【請求項３２】
前記送信ユニットはさらに、
前記装置で送信可能なシステム情報を示すための第二の指示情報を送信するように構成されることを特徴とする
請求項２７乃至３１のいずれか一項に記載の装置。
【請求項３３】
前記送信ユニットはさらに、
第二の物理層指示情報又は第二のＭＡＣ層指示情報又は第二のＲＲＣ層指示情報である前記第二の指示情報を送信するように構成されることを特徴とする
請求項３２に記載の装置。
【請求項３４】
前記送信ユニットはさらに、
前記第二の指示情報をブロードキャストするように構成され、又は
専用シグナリングによって前記第二の装置へ前記第二の指示情報を送信するように構成されることを特徴とする
請求項３３に記載の装置。
【請求項３５】
前記送信ユニットはさらに、
異なる物理層チャネル、又は異なる物理リソースブロック、又は異なる物理層シーケンスによって異なるシステム情報又は異なるシステム情報グループに対応する第二の物理層指示情報を送信するように構成され、又は
ＲＲＣメッセージの異なる制御ドメインの又は同じ制御ドメインの異なる制御ビットによって異なるシステム情報又はシステム情報グループに対応する第二のＲＲＣ層指示情報を搬送するように構成され、又は
ＭＡＣメッセージの異なる制御ドメインの又は同じ制御ドメインの異なる制御ビットによって異なるシステム情報又はシステム情報グループに対応する第二のＭＡＣ層指示情報を搬送するように構成されることを特徴とする
請求項３３又は３４に記載の装置。
【請求項３６】
前記処理ユニットはさらに、前記第一のシステム情報と関連する第二のシステム情報を確定するように構成され、
前記送信ユニットはさらに、前記第二のシステム情報を送信するように構成されることを特徴とする
請求項２７乃至３５のいずれか一項に記載の装置。
【請求項３７】
前記処理ユニットはさらに、
前記第一のシステム情報と同じシステム情報グループに属する他のシステム情報を前記第二のシステム情報として確定するように構成され、及び／又は、
前記第一のシステム情報を使用するサービスに使用される他のシステム情報を前記第二のシステム情報として確定するように構成されることを特徴とする
請求項３６に記載の装置。
【請求項３８】
情報伝送装置であって、処理ユニットと送信ユニットを備え、ここで、
前記処理ユニットは第一の指示情報を送信するためのリソースで信号を検出した場合、システム情報を送信する必要があることを確定するように構成され、前記第一の指示情報が前記システム情報をリクエストすることに用いられ、
前記送信ユニットは前記システム情報を送信するように構成される、情報伝送装置。
【請求項３９】
前記処理ユニットはさらに、
前記リソースを使用して前記第一の指示情報を送信することができるように構成される端末装置を確定するように構成され、
前記送信ユニットはさらに、
前記端末装置へ前記システム情報を送信するように構成されることを特徴とする
請求項３８に記載の装置。
【請求項４０】
前記リソースは物理チャネル又は物理リソースブロック又はアンテナポート又はコードワードシーケンスの一つ又は複数の組み合わせであることを特徴とする
請求項３８又は３９に記載の装置。
【請求項４１】
情報伝送装置であって、送信ユニットと処理ユニットを備え、ここで、
前記送信ユニットが前記装置が必要とする第一のシステム情報を示すための第一の指示情報を送信するように構成され、
前記処理ユニットが前記第一の装置から送信された前記第一のシステム情報を取得するように構成される、情報伝送装置。
【請求項４２】
前記処理ユニットはさらに、
前記第一の装置がブロードキャスト又はマルチキャスト又はユニキャストによって送信した前記第一のシステム情報を取得するように構成されることを特徴とする
請求項４１に記載の装置。
【請求項４３】
前記第一の装置は端末装置であり、前記装置は端末装置であり、又は、
前記第一の装置はネットワーク装置であり、前記装置は端末装置であることを特徴とする
請求項４１又は４２に記載の装置。
【請求項４４】
前記送信ユニットはさらに、
前記第一の装置へ第一の物理層指示情報又は第一のメディアアクセス制御（ＭＡＣ）層指示情報又は第一の無線リソース制御（ＲＲＣ）層指示情報である前記第一の指示情報を送信するように構成されることを特徴とする
請求項４１乃至４３のいずれか一項に記載の装置。
【請求項４５】
前記送信ユニットはさらに、
前記第一のシステム情報に対応する物理チャネル、又は物理リソースブロック、又は物理層シーケンスによって前記第一の物理層指示情報を送信するように構成され、又は
ＭＡＣメッセージの前記システム情報に対応する制御ドメイン、又はＭＡＣメッセージのリザーブ制御ドメインにおける前記第一のシステム情報に対応する制御ビットによって前記第一のＭＡＣ層指示情報を送信するように構成され、又は、
ＲＲＣメッセージの前記システム情報に対応する制御ドメイン、ＲＲＣメッセージのリザーブ制御ドメインにおける前記第一のシステム情報に対応する制御ビットによって前記第一のＲＲＣ層指示情報を送信するように構成されることを特徴とする
請求項４４に記載の装置。
【請求項４６】
前記送信ユニットが前記第一のＭＡＣ層指示情報又は前記第一のＲＲＣ層指示情報を送信する前に、前記処理ユニットはさらに、
前記装置の物理層で共有チャネルによって情報を伝送することを確定するように構成されることを特徴とする
請求項４５に記載の装置。
【請求項４７】
前記送信ユニットが第一の装置へ第一の指示情報を送信する前に、前記処理ユニットはさらに、
前記第一の装置から送信された、前記第一の装置で送信可能なシステム情報を示すための第二の指示情報を取得し、前記第二の指示情報に基づいて前記第一の装置へ前記第一の指示情報を送信するように構成され、前記システム情報が前記第一の装置で送信可能なシステム情報に属することを特徴とする
請求項４１乃至４６のいずれか一項に記載の装置。
【請求項４８】
前記処理ユニットはさらに、
前記第一の装置から送信された第二の物理層指示情報、第二のＭＡＣ層指示情報、又は第二のＲＲＣ層指示情報を取得するように構成されることを特徴とする
請求項４７に記載の装置。
【請求項４９】
前記処理ユニットはさらに、
異なる物理層チャネル、又は異なる物理層リソースブロック、又は異なる物理層シーケンスから、異なるシステム情報又は異なるシステム情報グループに対応する前記第二の物理層指示情報を取得するように構成され、又は
ＲＲＣメッセージの異なる制御ドメインの又は同じ制御ドメインの異なる制御ビットから、異なるシステム情報又は異なるシステム情報グループに対応する前記第二のＲＲＣ層指示情報を取得するように構成され、又は
ＭＡＣメッセージの異なる制御ドメインの又は同じ制御ドメインの異なる制御ビットから異なるシステム情報又は異なるシステム情報グループに対応する第二のＭＡＣ層指示情報を取得するように構成されることを特徴とする
請求項４８に記載の装置。
【請求項５０】
前記処理ユニットはさらに、
前記第一の装置から送信された、前記第一のシステム情報と関連する第二のシステム情報を取得するように構成されることを特徴とする
請求項４１乃至４９のいずれか一項に記載の装置。
【発明の詳細な説明】
【技術分野】
【０００１】
本出願は通信分野に関し、且つより具体的には、情報伝送方法及び装置に関する。
【背景技術】
【０００２】
現在の長期進化（ＬＴＥ：Ｌｏｎｇ  Ｔｅｒｍ  Ｅｖｏｌｕｔｉｏｎ）システムでは、端末は、サービングセルとダウンリンク同期情報を確立した後、サービングセルによってブロードキャストシグナリングを介して送信されたシステム情報を受信することにより、該サービングセルの関連情報を取得することができる。
【０００３】
システム情報はブロードキャストによってセル内で周期的に送信される。このようなシステム情報の送信方式は送信効率が低く、シグナリングオーバーヘッドが大きく、リソース浪費が深刻である。
【発明の概要】
【発明が解決しようとする課題】
【０００４】
本出願の実施例は送信効率を向上させ、シグナリングオーバーヘッドを削減し、リソース浪費を回避することができる情報伝送方法及び装置を提供する。
【課題を解決するための手段】
【０００５】
第一の態様による情報伝送方法は、第一の装置が第二の装置から送信された、該第二の装置が必要とする第一のシステム情報を示すための第一の指示情報を取得することと、該第一の装置が該第一の指示情報に基づき、該第一のシステム情報を送信することとを含む。
【０００６】
したがって、ネットワークにおいて、装置がシステム情報を必要とし且つシステム情報のトリガリクエストを行う場合のみ、システム情報を送信し、これにより装置がシステム情報をタイムリーに取得できることを保証するとともに、システム情報の送信効率を向上させ、シグナリングオーバーヘッドを削減することができ、それによってリソースの利用率を向上させることができる。
【０００７】
第一の態様と組み合わせ、第一の態様の第一の可能な実施形態では、該第一の装置が該第一の指示情報に基づき、該第一のシステム情報を送信することは、該第一の装置が該第一の指示情報に基づき、ブロードキャスト又はマルチキャストによって該第一のシステム情報を送信することを含む。
【０００８】
したがって、第一の装置が第二の装置からのシステム情報に対するトリガリクエストを受信した後に、ブロードキャスト又はマルチキャストによってシステム情報を送信することにより、第二の装置がシステム情報をタイムリーに取得することができるだけでなく、他の装置がアイドル状態にある場合、システム情報を取得することもできることを保証することができ、他の装置がシステム情報を取得する必要がある時に、アイドル状態から接続状態に遷移し、システム情報を第一の装置にリクエストして電力消費と信号浪費を引き起こすことを回避する。
【０００９】
選択可能に、該第一の装置が該第一の指示情報に基づき、該第一のシステム情報を送信することは、該第一の装置が該第一の指示情報に基づき、ユニキャストによって該第一のシステム情報を送信することを含む。
【００１０】
第一の態様又はその上記のいずれかの可能実施形態と組み合わせ、第一の態様の第二の可能な実施形態では、該第一の装置は端末装置であり、該第二の装置は端末装置であり、又は、該第一の装置はネットワーク装置であり、第二の装置は端末装置である。
【００１１】
第一の態様又はその上記のいずれかの可能実施形態と組み合わせ、第一の態様の第三の可能な実施形態では、該第一の装置が第二の装置から送信された第一の指示情報を取得することは、該第一の装置が該第二の装置から送信された、第一の物理層指示情報、又は第一のメディアアクセス制御（ＭＡＣ）層指示情報、又は第一の無線リソース制御（ＲＲＣ）層指示情報である該第一の指示情報を取得することを含む。
【００１２】
第一の態様又はその上記のいずれかの可能実施形態と組み合わせ、第一の態様の第四の可能な実施形態では、該第一の装置が該第二の装置から送信された該第一の指示情報を取得することは、該第一の装置が該第一のシステム情報に対応する物理層チャネル又は物理層リソースブロック又は物理層シーケンスから、該第二の装置からの該第一の物理層指示情報を取得すること、又は、該第一の装置が該第二の装置からのＭＡＣ層メッセージの該第一のシステム情報に対応する制御ドメインから、又は該第二の装置からのＭＡＣ層メッセージのリザーブ制御ドメインにおける該第一のシステム情報に対応する制御ビットから、該第一のＭＡＣ層指示情報を取得し、又は、該第一の装置が該第二の装置からのＲＲＣ層メッセージの該第一のシステム情報に対応する制御ドメインから、又は該第二の装置からのＲＲＣ層メッセージのリザーブ制御ドメインにおける該第一のシステム情報に対応する制御ビットから、該第一のＲＲＣ層指示情報を取得することを含む。
【００１３】
第一の態様又はその上記のいずれかの可能実施形態と組み合わせ、第一の態様の第五の可能な実施形態では、該方法はさらに、該第一の装置が該第一の装置で送信可能なシステム情報を示すための第二の指示情報を送信することを含む。
【００１４】
選択可能に、第一の装置は該第二の指示情報をブロードキャストし、又は専用シグナリングによって該第二の指示情報を送信することができる。
【００１５】
第一の態様又はその上記のいずれかの可能実施形態と組み合わせ、第一の態様の第六の可能な実施形態では、該第一の装置が第二の指示情報をブロードキャストすることは、該第一の装置が第二の物理層指示情報、第二のＭＡＣ層指示情報又は第二のＲＲＣ層指示情報である該第二の指示情報をブロードキャストすることを含む。
【００１６】
第一の態様又はその上記のいずれかの可能実施形態と組み合わせ、第一の態様の第七の可能な実施形態では、該第一の装置が該第二の指示情報をブロードキャストすることは、該第一の装置が異なる物理層チャネル、又は異なる物理リソースブロック、又は異なる物理層シーケンスによって異なるシステム情報又は異なるシステム情報グループに対応する第二の物理層指示情報を送信すること、又は該第一の装置がＲＲＣメッセージの異なる制御ドメインの又は同じ制御ドメインの異なる制御ビットによって異なるシステム情報又はシステム情報グループに対応する第二のＲＲＣ層指示情報を搬送すること、又は該第一の装置がＭＡＣメッセージの異なる制御ドメインの又は同じ制御ドメインの異なる制御ビットによって異なるシステム情報又はシステム情報グループに対応する第二のＭＡＣ層指示情報を搬送することを含む。
【００１７】
第一の態様又はその上記のいずれかの可能実施形態と組み合わせ、第一の態様の第八の可能な実施形態では、該システム情報は、セル選択及び滞在の関連情報、システム情報の所在する情報ブロックのスケジューリング情報、アクセス制限情報、共通チャネルパラメータ、ＭＢＳＦＮサブフレームの構成情報、セル再選関連情報、同周波数セル再選情報、異周波数セル再選情報、異システムセル再選情報のうちの少なくとも一つを含む。
【００１８】
第一の態様又はその上記のいずれかの可能実施形態と組み合わせ、第一の態様の第九の可能な実施形態では、該方法はさらに、該第一の装置が該第一のシステム情報と関連する第二のシステム情報を確定することと、該第一の装置が該第二のシステム情報を送信することとを含む。
【００１９】
第一の態様又はその上記のいずれかの可能実施形態と組み合わせ、第一の態様の第十の可能な実施形態では、該第一の装置が第二のシステム情報を確定することは、該第一のシステム情報と同じシステム情報グループに属する他のシステム情報を該第二のシステム情報として確定すること、及び／又は、該第一のシステム情報を使用するサービスに使用される他のシステム情報を該第二のシステム情報として確定することを含む。
【００２０】
第二の態様による情報伝送方法は、第一の装置が第一の指示情報を送信するためのリソースで信号を検出した場合、システム情報を送信する必要があることを確定し、該第一の指示情報が該システム情報をリクエストすることに用いられることと、該第一の装置が該システム情報を送信することとを含む。
【００２１】
第二の態様と組み合わせ、第二の態様の第一の可能な実施形態では、該第一の装置が該システム情報を送信することは、該リソースを使用して該第一の指示情報を送信することができるように構成される端末装置を確定することを含み、該第一の装置が該システム情報を送信することは該端末装置へ該システム情報を送信することを含む。
【００２２】
第二の態様又はその上記のいずれかの可能な実施形態と組み合わせ、第二の態様の第二の可能な実施形態では、該リソースは物理チャネル又は物理リソースブロック又はアンテナポート又はコードワードシーケンスの一つ又は複数の組み合わせである。
【００２３】
第三の態様による情報伝送方法は、第二の装置が該第二の装置が必要とする第一のシステム情報を示すための第一の指示情報を第一の装置に送信することと、該第二の装置が該第一の装置から送信された該第一のシステム情報を取得することとを含む。
【００２４】
第三の態様と組み合わせ、第三の態様の第一の可能な実施形態では、該第二の装置が該第一の装置から送信された該第一のシステム情報を取得することは、該第二の装置が該第一の装置がブロードキャスト、マルチキャスト又はユニキャストによって送信した該第一のシステム情報を取得することを含む。
【００２５】
第三の態様又はその上記のいずれかの可能な実施形態と組み合わせ、第三の態様の第二の可能な実施形態では、該第一の装置は端末装置であり、該第二の装置は端末装置であり、又は、該第一の装置はネットワーク装置であり、該第二の装置は端末装置である。
【００２６】
第三の態様又はその上記のいずれかの可能な実施形態と組み合わせ、第三の態様の第三の可能な実施形態では、第二の装置が第一の装置へ第一の指示情報を送信することは、該第二の装置が該第一の装置へ第一の物理層指示情報、第一のメディアアクセス制御（ＭＡＣ）層指示情報又は第一の無線リソース制御（ＲＲＣ）層指示情報である該第一の指示情報を送信することを含む。
【００２７】
第三の態様又はその上記のいずれかの可能な実施形態と組み合わせ、第三の態様の第四の可能な実施形態では、該第二の装置が該第一の装置へ該第一の指示情報を送信することは、該第二の装置が該第一のシステム情報に対応する物理チャネル、又は物理リソースブロック、又は物理層シーケンスによって該第一の物理層指示情報を送信すること、又は該第二の装置がＭＡＣメッセージの該システム情報に対応する制御ドメイン、又はＭＡＣメッセージのリザーブ制御ドメインにおける該第一のシステム情報に対応する制御ビットによって該第一のＭＡＣ層指示情報を送信すること、又は、該第二の装置がＲＲＣメッセージの該システム情報に対応する制御ドメイン、ＲＲＣメッセージのリザーブ制御ドメインにおける該第一のシステム情報に対応する制御ビットによって該第一のＲＲＣ層指示情報を送信することを含む。
【００２８】
第三の態様又はその上記のいずれかの可能な実施形態と組み合わせ、第三の態様の第五の可能な実施形態では、該第二の装置が該第一のＭＡＣ層指示情報又は該第一のＲＲＣ層指示情報を送信する前に、該方法はさらに、該第二の装置が該第二の装置の物理層で共有チャネルによって情報を伝送することを確定することを含む。
【００２９】
第三の態様又はその上記のいずれかの可能な実施形態と組み合わせ、第三の態様の第六の可能な実施形態では、該第二の装置が第一の装置へ第一の指示情報を送信する前に、該方法はさらに、該第二の装置が該第一の装置から送信された、該第一の装置で送信可能なシステム情報を示すための第二の指示情報を取得することを含み、該第二の装置が第一の装置へ第一の指示情報を送信することは、該第二の装置が該第二の指示情報に基づいて該第一の装置へ該第一の指示情報を送信し、該第一の指示情報に示されるシステム情報が該第一の装置で送信可能なシステム情報に属することを含む。
【００３０】
第三の態様又はその上記のいずれかの可能な実施形態と組み合わせ、第三の態様の第七の可能な実施形態では、該第二の装置が該第一の装置から送信された第二の指示情報を取得することは、該第二の装置が該第一の装置から送信された第二の物理層指示情報、第二のＭＡＣ層指示情報、又は第二のＲＲＣ層指示情報を取得することを含む。
【００３１】
第三の態様又はその上記のいずれかの可能な実施形態と組み合わせ、第三の態様の第八の可能な実施形態では、該第二の装置が該第一の装置から送信された第二の物理層指示情報、第二のＭＡＣ層指示情報、又は第二のＲＲＣ層指示情報を取得することは、該第二の装置が異なる物理層チャネル、又は異なる物理層リソースブロック、又は異なる物理層シーケンスから、異なるシステム情報又は異なるシステム情報グループに対応する該第二の物理層指示情報を取得すること、又は該第二の装置がＲＲＣメッセージの異なる制御ドメインの又は同じ制御ドメインの異なる制御ビットから異なるシステム情報又は異なるシステム情報グループに対応する該第二のＲＲＣ層指示情報を取得すること、又は該第二の装置がＭＡＣメッセージの異なる制御ドメインの又は同じ制御ドメインの異なる制御ビットから異なるシステム情報又は異なるシステム情報グループに対応する第二のＭＡＣ層指示情報を取得することを含む。
【００３２】
第三の態様又はその上記のいずれかの可能な実施形態と組み合わせ、第三の態様の第九の可能な実施形態では、該システム情報は、セル選択及び滞在の関連情報、システム情報の所在する情報ブロックのスケジューリング情報、アクセス制限情報、共通チャネルパラメータ、ＭＢＳＦＮサブフレームの構成情報、セル再選関連情報、同周波数セル再選情報、異周波数セル再選情報、異システムセル再選情報のうちの少なくとも一つを含む。
【００３３】
第三の態様又はその上記のいずれかの可能な実施形態と組み合わせ、第三の態様の第十の可能な実施形態では、前記方法はさらに、前記第二の装置が前記第一の装置から送信された、前記第一のシステム情報と関連する第二のシステム情報を受信することを含む。
【００３４】
第四の態様による情報伝送装置は、上記第一の態様又は第一の態様のずかの選択可能な実施形態における方法を実行することに用いられる。具体的には、該情報伝送装置は上記第一の態様又は第一の態様のいずれかの可能な実施形態における方法を実行するためのモジュールユニットを備える。
【００３５】
第五の態様による情報伝送装置は、上記第二の態様又は第二の態様のいずれかの選択可能な実施形態における方法を実行することに用いられる。具体的には、該情報伝送装置は上記第一の態様又は第一の態様のいずれかの可能な実施形態における方法を実行するためのモジュールユニットを備える。
【００３６】
第六の態様による情報伝送装置は上記第三の態様又は第三の態様のいずれかの選択可能な実施形態における方法を実行することに用いられる。具体的には、該情報伝送装置は上記第三の態様又は第三の態様のいずれかの可能な実施形態における方法を実行するためのモジュールユニットを備える。
【００３７】
第七の態様による情報伝送装置はメモリとプロセッサを備え、該メモリが命令を記憶するように構成され、該プロセッサが該メモリに記憶された命令を実行するように構成され、且つ該プロセッサが該メモリに記憶された命令を実行すると、該実行により該プロセッサは第一の態様又は第一の態様のいずれかの選択可能な実施形態における方法を実行する。
【００３８】
第八の態様による情報伝送装置は、メモリとプロセッサを備え、該メモリが命令を記憶するように構成され、該プロセッサが該メモリに記憶された命令を実行するように構成され、且つ該プロセッサが該メモリに記憶された命令を実行すると、該実行により該プロセッサは第二の態様又は第二の態様のいずれかの選択可能な実施形態における方法を実行する。
【００３９】
第九の態様による情報伝送装置は、メモリとプロセッサを備え、該メモリが命令を記憶するように構成され、該プロセッサが該メモリに記憶された命令を実行するように構成され、且つ該プロセッサが該メモリに記憶された命令を実行すると、該実行により該プロセッサは第三の態様又は第三の態様のいずれかの選択可能な実施形態における方法を実行する。
【００４０】
第十の態様によるコンピュータ記憶媒体は、上記第一の態様又は第一の態様のいずれかの選択可能な実施形態における方法を実行することを示すためのプログラムコードを記憶している。
【００４１】
第十一の態様によるコンピュータ記憶媒体は、上記第二の態様又は第にの態様のいずれかの選択可能な実施形態における方法を実行することを示すためのプログラムコードを記憶している。
【００４２】
第十二の態様によるコンピュータ記憶媒体は、上記第三の態様又は第三の態様のいずれかの選択可能な実施形態における方法を実行することを示すためのプログラムコードを記憶している。
【図面の簡単な説明】
【００４３】
【図１】本出願の実施例による情報伝送方法の概略フローチャートである。
【図２】本出願の実施例による情報伝送方法の概略フローチャートである。
【図３】本出願の実施例による情報伝送方法の概略フローチャートである。
【図４】本出願の実施例による情報伝送装置の概略ブロック図である。
【図５】本出願の実施例による情報伝送装置の概略ブロック図である。
【図６】本出願の実施例による情報伝送装置の概略ブロック図である。
【図７】本出願の実施例による情報伝送装置の概略ブロック図である。
【発明を実施するための形態】
【００４４】
本出願の実施例の技術的解決策をより明確に説明するために、以下に実施例又は従来技術の説明に必要な図面を簡単に説明し、明らかに、以下に記載される図面は本出願のいくつかの実施例に過ぎず、当業者であれば、創造的な労力を要することなく、これらの図面に基づいて他の図面を得ることができる。
【００４５】
以下に本発明の実施例の図面を組み合わせながら、本発明の実施例に係る技術的解決策を明確に全面的に説明し、明らかに、説明した実施例は本発明の一部の実施例に過ぎず全ての実施例ではない。本発明の実施例に基づき、当業者が創造的な労力を要せずに得た他の実施例は、全て本発明の保護範囲に属する。
【００４６】
いくつかの実施例では、端末直接接続（Ｄ２Ｄ：Ｄｅｖｉｃｅ  ｔｏ  Ｄｅｖｉｃｅ）通信は車対車（Ｖ２Ｖ：Ｖｅｈｉｃｌｅ  ｔｏ  Ｖｅｈｉｃｌｅ）通信、又はＶ２Ｘ通信、又はＸ２Ｘを指してもよい。Ｘ２Ｘ又はＸ２Ｘ通信では、Ｘは無線受信及び送信能力を有するいかなる装置を広く指してもよく、例えば遅く移動する無線装置、速く移動する車載装置、又は無線送信及び受信能力を有するネットワーク制御ノードであるがこれらに限定されない。
【００４７】
本出願の実施例の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）などの現在の通信システム、及び特に将来の５Ｇシステムに応用されてもよい。
【００４８】
本出願の実施例における端末装置は、ユーザ装置（Ｕｓｅｒ  Ｅｑｕｉｐｍｅｎｔ：「ＵＥ」と略称）、アクセス端末、加入者ユニット、加入者局、移動局、移動サイト、遠隔局、遠隔端末、移動装置、ユーザ端末、端末、無線通信装置、ユーザエージェント又はユーザ装置を指してもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ：「ＳＩＰ」と略称）電話、無線ローカルループ（Ｗｉｒｅｌｅｓｓ  Ｌｏｃａｌ  Ｌｏｏｐ：「ＷＬＬ」と略称）サイト、パーソナルデジタル処理（Ｐｅｒｓｏｎａ１  Ｄｉｇｉｔａ１  Ａｓｓｉｓｔａｎｔ：「ＰＤＡ」）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（Ｐｕｂｌｉｃ  Ｌａｎｄ  Ｍｏｂｉｌｅ  Ｎｅｔｗｏｒｋ：「ＰＬＭＮ」における端末装置などであってもよい。
【００４９】
本出願の実施例におけるネットワーク装置は端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（Ｎｏｄｅ  Ｂ：「ＮＢ」と略称）であってもよいし、ＬＴＥシステムにおける進化型基地局（ｅｖｏｌｕｔｉｏｎａｌ  Ｎｏｄｅ  Ｂ：「ｅＮＢ又はｅ−ＮｏｄｅＢ」と略称）であってもよく、クラウドワイヤレスアクセスネットワーク（Ｃｌｏｕｄ  Ｒａｄｉｏ  Ａｃｃｅｓｓ  Ｎｅｔｗｏｒｋ：「ＣＲＡＮ」と略称）シーンでの無線コントローラであってもよく、又は該ネットワーク装置は中継局、アクセスポイント、車載デバイス、ウェアラブルデバイス、将来の５Ｇネットワークにおけるネットワーク装置又は将来の進化したＰＬＭＮネットワークにおけるネットワーク装置などであってもよい。
【００５０】
本出願の実施例におけるシステム情報はサービングセルの関連情報を取得することに用いられてもよく、本出願の実施例に記載されるシステム情報は複数の情報ブロック（ＳＩＢ：Ｓｙｓｔｅｍ  Ｉｎｆｏｒｍａｔｉｏｎ  Ｂｌｏｃｋ）の情報を含むことができ、例えば少なくともＳＩＢ１、ＳＩＢ２、ＳＩＢ３、ＳＩＢ４、ＳＩＢ５、ＳＩＢ６、ＳＩＢ７とＳＩＢ８情報ブロックの情報を含むことができる。
【００５１】
ここで、ＳＩＢ１は主にセル選択及び滞在の関連情報と他のシステム情報ブロックのスケジューリング情報を含み、ＳＩＢ２は主にアクセス制御情報、共通チャネルパラメータ、マルチメディアブロードキャストマルチキャストサービス単一周波数ネットワーク（ＭＢＳＦＮ：Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームの構成情報を含み、ＳＩＢ３は主にセル再選関連情報を含み、ＳＩＢ４は主に同周波数セル再選択情報を含み、ＳＩＢ５は主に異周波数セル再選択情報を含み、ＳＩＢ６は主に異周波数セル再選択情報（ＵＭＴＳ無線ネットワーク（ＵＴＲＡＮ：ＵＭＴＳ  Ｒａｄｉｏ  Ａｃｃｅｓｓ  Ｎｅｔｗｏｒｋ））を含み、ＳＩＢ７は主に異システムセル再選情報（ＧＥＲＡＮ：ＧＳＭ／ＥＤＧＥ無線アクセスネットワークＧＳＭ／Ｅｎｈａｎｃｅｄ  Ｄａｔａ  Ｒａｔｅ  ｆｏｒ  ＧＳＭ  Ｅｖｏｌｕｔｉｏｎ（ＥＤＧＥ）を含み、ＳＩＢ８は主に異システムセル再選情報（ＣＤＭＡ２０００）を含む。
【００５２】
図１は本出願の実施例による情報伝送方法１００の概略フローチャートである。図１に情報伝送方法のステップ又は動作が示されるが、これらのステップ又は動作は例だけであり、本発明の実施例はさらに他の動作又は図１における各動作の変形を実行することができる。
【００５３】
１１０で、第二の装置は第一の装置へ第二の装置が必要とする第一のシステム情報を示すための第一の指示情報を送信する。
【００５４】
１２０で、第二の装置は第一の装置から送信された第一のシステム情報を取得する。
【００５５】
図２は本出願の実施例による情報伝送方法２００の概略フローチャートである。図２に情報伝送方法のステップ又は動作が示されるが、これらのステップ又は動作は例だけであり、本発明の実施例はさらに他の動作又は図２における各動作の変形を実行することができる。
【００５６】
２１０で、第一の装置は第二の装置が必要とする第一のシステム情報を示すための第一の指示情報を取得する。
【００５７】
２２０で、第一の装置は第一の指示情報に基づき、第一のシステム情報を送信する。
【００５８】
したがって、ネットワークにおいて、装置がシステム情報を必要とし且つシステム情報のトリガリクエストを行う場合のみ、システム情報を送信し、これにより装置がシステム情報をタイムリーに取得できることを保証するとともに、システム情報の送信効率を向上させ、シグナリングオーバーヘッドを減少することができ、それによってリソースの利用率を向上させることができる。
【００５９】
理解すべきものとして、上記第一の指示情報に示される第一のシステム情報は単一のシステム情報であってもよく、複数のシステム情報、例えば１グループのシステム情報であってもよい。
【００６０】
選択可能に、本出願の実施例では、第一の装置と第二の装置はいずれも端末装置であってもよく、即ち本出願の実施例はＤ２Ｄ通信に用いられてもよく、又は、第一の装置はネットワーク装置であり、第二の装置は端末装置であってもよい。
【００６１】
選択可能に、本出願の実施例において、第一の装置は複数の方式によって第一のシステム情報を送信することができる。
【００６２】
一つの実施形態では、第一の装置はブロードキャストによって該第一のシステム情報を送信する。
【００６３】
これに対応して、第二の装置は第一の装置がブロードキャストによって送信した第一のシステム情報を受信することができる。
【００６４】
したがって、第一の装置が第二の装置からのシステム情報に対するトリガリクエストを受信する前に、ブロードキャストによってシステム情報を送信することにより、第二の装置がシステム情報をタイムリーに取得することができるだけでなく、他の装置がアイドル状態にある場合、システム情報を取得することもできることを保証することができ、他の装置がシステム情報を取得する必要がある時に、アイドル状態から接続状態に遷移し、システム情報を第一の装置にリクエストして電力消費と信号浪費を引き起こすことを回避する。
【００６５】
一つの実施形態では、第一の装置はマルチキャストによって第一のシステム情報を送信することができる。
【００６６】
これに対応して、第二の装置は第一の装置がマルチキャストによって送信した第一のシステム情報を受信することができる。
【００６７】
選択可能に、第一の装置がマルチキャストによって第一のシステム情報を送信する場合、第二の装置の所在するグループを確定し、該グループ内の複数の装置へ第一のシステム情報を送信することができ、例えば、該第一のシステム情報の所在メッセージにグループ内の各装置の識別子又は第二の装置の識別子、該グループのグループ識別子を含むことができる。
【００６８】
したがって、第一の装置が第二の装置からのシステム情報に対するトリガリクエストを受信した場合、マルチキャストによってシステム情報を送信することにより、第二の装置がシステム情報をタイムリーに取得することができるだけでなく、また他の装置がアイドル状態にある場合、システム情報を取得することもできることを保証することができ、他の装置がシステム情報を取得する必要がある時に、アイドル状態から接続状態に遷移し、システム情報を第一の装置にリクエストして電力消費と信号浪費を引き起こすことを回避する。
【００６９】
一つの実施形態では、第一の装置はユニキャストによって第一のシステム情報を送信することができる。
【００７０】
これに対応して、第二の装置は第一の装置がユニキャストによって送信した第一のシステム情報を受信することができる。
【００７１】
選択可能に、第一の装置がユニキャストによって第一のシステム情報を送信する場合、該第一のシステム情報の所在メッセージに第二の装置の識別子を含むことができる。
【００７２】
選択可能に、本出願の実施例では、第一の指示情報が物理層に搬送されてもよく、その場合、第一の指示情報は第一の物理層指示情報であってもよい。
【００７３】
この場合、第二の装置は必要な第一のシステム情報に対応する物理チャネル、又は物理リソースブロック、又は物理層シーケンスによって第一の物理層指示情報を送信することができる。
【００７４】
第一の装置は第一のシステム情報に対応する物理チャネル、又は物理リソースブロック、又は物理層シーケンスによって該第一の物理層指示情報を取得することができる。
【００７５】
ここで、一つの物理層チャネル、又は一つの物理層リソースブロック又は一つの物理層シーケンスは単一又は複数の第一のシステム情報に対応することができる。
【００７６】
選択可能に、本出願の実施例では、第一の指示情報がメディアアクセス制御（ＭＡＣ：Ｍｅｄｉａ  Ａｃｃｅｓｓ  Ｃｏｎｔｒｏｌ）層に搬送されてもよく、その場合、第一の指示情報は第一のＭＡＣ層指示情報であってもよい。
【００７７】
この場合、第二の装置はＭＡＣメッセージのシステム情報に対応する制御ドメイン、又はＭＡＣメッセージのリザーブ制御ドメインにおける第一のシステム情報に対応する制御ビットによって第一のＭＡＣ層指示情報を送信することができる。
【００７８】
第一の装置はＭＡＣメッセージの第一のシステム情報に対応する制御ドメイン、又はＭＡＣメッセージのリザーブ制御ドメインにおける第一のシステム情報に対応する制御ビットによって該第一のＭＡＣ層指示情報を取得することができる。
【００７９】
選択可能に、本出願の実施例では、第一の指示情報が無線リソース制御（ＲＲＣ：Ｒａｄｉｏ  Ｒｅｓｏｕｒｃｅ  Ｃｏｎｔｒｏｌ）層に搬送されてもよく、その場合、第一の指示情報は第一のＲＲＣ層指示情報であってもよい。
【００８０】
この場合、第二の装置はＲＲＣメッセージのシステム情報に対応する制御ドメイン、又はＲＲＣメッセージのリザーブ制御ドメインにおける第一のシステム情報に対応する制御ビットによって第一のＲＲＣ層指示情報を送信することができる。選択可能に、該ＲＲＣメッセージはＲＲＣ確立リクエスト（ＲＲＣＥａｂｌｉｓｈｉｍｅｎｔＲｅｑｕｅｓｔ）であってもよい。
【００８１】
第一の装置はＲＲＣメッセージの第一のシステム情報に対応する制御ドメイン、又はＲＲＣメッセージのリザーブ制御ドメインにおける第一のシステム情報に対応する制御ビットによって該第一のＲＲＣ層指示情報を取得することができる。
【００８２】
選択可能に、本出願の実施例では、第二の装置は、第二の装置の物理層で共有チャネルによって情報を伝送することを確定した場合、ＲＲＣメッセージ又はＭＡＣメッセージによって第一の指示情報を送信することができる。
【００８３】
選択可能に、本出願の実施例では、第一のシステム情報を送信することに加えて、第一の装置は、第一のシステム情報と関連する第二のシステム情報を送信することができる。例えば、前記第一のシステム情報と同じシステム情報グループに属する他のシステム情報を前記第二のシステム情報として確定し、及び／又は、前記第一のシステム情報を使用するサービスに使用される他のシステム情報を前記第二のシステム情報として確定する。
【００８４】
選択可能に、本出願の実施例において、第一の装置は該第一の装置で送信可能なシステム情報を示すための第二の指示情報を予め送信することができる。
【００８５】
具体的には、第一の装置は該第二の指示情報をブロードキャストし、又は専用シグナリングによって該第二の指示情報を送信することができる。
【００８６】
第一の装置は、専用シグナリングによって第二の指示情報を送信する時に、受信側に応じて指示する必要があるシステム情報を確定することができ、例えば、第一の装置がＡ、Ｂ、Ｃの３グループのシステム情報が送信できると仮定し、第一の装置が第二の装置がグループＡのシステム情報のみを必要とすることを判定した場合、第一の装置は第二の装置へ第二の指示情報を送信することができ、該第二の指示情報がグループＡのシステム情報が第一の装置によって送信できることを示すためのものだけである。
【００８７】
第二の装置は第一の装置で送信可能なシステム情報を取得した後、必要なシステム情報を第一の装置にリクエストすることができる。
【００８８】
第二の装置は、システム情報を必要とする時に、必要なシステム情報を第一の装置にリクエストすることができ、又は、第二の装置は後続に使用される可能性があるシステム情報を予測し、且つ該システム情報を第二の装置にリクエストすることができる。
【００８９】
第一の装置は複数の方式によって該第二の指示情報を送信することができる。
【００９０】
例えば、第一の装置はブロードキャスト、マルチキャスト又はユニキャストによって該第二の指示情報を送信することができる。
【００９１】
これに対応して、第二の装置は、第一の装置がユニキャスト、マルチキャスト又はブロードキャストによって送信した第二の指示情報を取得することができる。
【００９２】
選択可能に、本出願の実施例では、第二の指示情報が物理層に搬送されてもよく、その場合、第二の指示情報は第二の物理層指示情報であってもよい。
【００９３】
第一の装置は異なる物理層チャネル、又は異なる物理リソースブロック、又は異なるシーケンスによって異なるシステム情報又は異なるシステム情報に対応する第二の物理層指示情報を送信することができる。
【００９４】
これに対応して、第二の装置は異なる物理層チャネル、又は異なる物理リソースブロック、又は異なる物理層シーケンスによって異なるシステム情報又は異なるシステム情報グループに対応する第二の物理層指示情報を取得することができる。
【００９５】
選択可能に、本出願の実施例では、第二の指示情報がＭＡＣ層に搬送されてもよく、その場合、第二の指示情報は第二のＭＡＣ層指示情報であってもよい。
【００９６】
第一の装置はＭＡＣメッセージの異なる制御ドメインの又は同じ制御ドメインの異なる制御ビットによって異なるシステム情報グループに対応する第二のＭＡＣ層指示情報を搬送する。
【００９７】
これに対応して、第二の装置はＲＲＣメッセージの異なる制御ドメインの又は同じ制御ドメインの異なる制御ビットから、異なるシステム情報又は異なるシステム情報グループに対応する第二のＲＲＣ層指示情報を取得する。
【００９８】
選択可能に、本出願の実施例では、第二の指示情報がＲＲＣ層に搬送されてもよく、その場合、第二の指示情報は第二のＲＲＣ層指示情報であってもよい。
【００９９】
第一の装置はＲＲＣメッセージの異なる制御ドメインの又は同じ制御ドメインの異なる制御ビットによって異なるシステム情報又は異なるシステム情報グループに対応する第二のＲＲＣ層指示情報を搬送する。
【０１００】
これに対応して、第二の装置はＭＡＣメッセージの異なる制御ドメインの又は同じ制御ドメインの異なる制御ビットから、異なるシステム情報又は異なる情報に対応する第二のＭＡＣ層指示情報を取得する。
【０１０１】
選択可能に、本出願の実施例では、第一の装置は、第一の装置の物理層で共有チャネルによって情報を伝送することを確定した場合、ＲＲＣメッセージ又はＭＡＣメッセージによって第二の指示情報を送信することができる。
【０１０２】
選択可能に、本出願の実施例に記載されるシステム情報グループはＳＩＢによって分割されてもよく、例えば、一つのシステム情報グループは少なくとも一つのＳＩＢを含むことができ、又は、他の方式、例えばサービスニーズなどに応じて分割されてもよい。
【０１０３】
選択可能に、本出願の実施例におけるシステム情報は、セル選択及び滞在の関連情報、システム情報の所在する情報ブロックのスケジューリング情報、アクセス制限情報、共通チャネルパラメータ、ＭＢＳＦＮサブフレームの構成情報、セル再選関連情報、同周波数セル再選情報、異周波数セル再選情報、異システムセル再選情報のうちの少なくとも一つを含む。
【０１０４】
図３は本出願の実施例による情報伝送方法３００の概略フローチャートである。図３に情報伝送方法のステップ又は動作が示されるが、これらのステップ又は動作は例だけであり、本発明の実施例はさらに他の動作又は図３における各動作の変形を実行することができる。
【０１０５】
３１０で、第一装置は第一の指示情報を送信するためのリソースで信号を検出した場合、システム情報を送信する必要があることを確定し、第一の指示情報がシステム情報をリクエストすることに用いられる。
【０１０６】
理解すべきものとして、信号が検出されたことは、検出する信号の強度がある強度閾値以上であることを意味してもよい。
【０１０７】
選択可能に、該リソースは物理チャネル又は物理リソースブロック又はアンテナポート又はコードワードシーケンスの一つ又は複数の組み合わせであってもよい。
【０１０８】
３２０で、第一の装置はシステム情報を送信する。
【０１０９】
したがって、第一の装置は、システム情報をリクエストする指示情報を送信するためのリソースで信号を検出した場合、該情報を復調せずに、該指示情報に対応するシステム情報を送信することができ、これにより、複数の端末が同じリソースを介して指示情報を送信することによって、情報復調が失敗し、そして第一の装置がシステム情報をタイムリーに送信することができないという問題を回避することができ、且つ第一の装置は該情報を復調せずに、リソース浪費を減少し、電力量を節約することができる。
【０１１０】
選択可能に、第一の装置がシステム情報を送信する必要があることを確定した場合、前記リソースを使用して前記第一の指示情報を送信することができるように構成される端末装置を確定し、且つ確定された端末装置へ送信すべきシステム情報を送信することができる。
【０１１１】
ここで、図３に示す実施例における第二の装置の動作について以上の説明を参照でき、及び方法３００では、第一の装置は送信可能なシステム情報を予め送信することができ、具体的な実施形態及び対応する第二の装置の実施形態について以上の説明を参照できる。
【０１１２】
図４は本出願の実施例による情報伝送装置４００の概略ブロック図である。図４に示すように、該装置４００は処理ユニット４１０と送信ユニット４２０を備え、ここで、該処理ユニット４１０が第二の装置から送信された、該第二の装置が必要とする第一のシステム情報を示すための第一の指示情報を取得するように構成され、該送信ユニット４２０が該第一の指示情報に基づき、第一のシステム情報を送信するように構成される。
【０１１３】
選択可能に、該送信ユニット４２０はさらに該第一の指示情報に基づき、ブロードキャスト、マルチキャスト又はユニキャストによって該第一のシステム情報を送信するように構成される。
【０１１４】
選択可能に、該装置４００は端末装置であり、該第二の装置は端末装置であり、又は、該装置４００はネットワーク装置であり、該第二の装置は端末装置である。
【０１１５】
選択可能に、該処理ユニット４２０はさらに該第二の装置から送信された、第一の物理層指示情報、又は第一のメディアアクセス制御（ＭＡＣ）指示情報、又は第一の無線リソース制御（ＲＲＣ）層指示情報である該第一の指示情報を取得するように構成される。
【０１１６】
選択可能に、該処理ユニット４２０はさらに、該第一のシステム情報に対応する物理層チャネル又は物理層リソースブロック又は物理層シーケンスから、該第二の装置からの該第一の物理層指示情報を取得するように構成され、又は、該第二の装置からのＭＡＣ層メッセージの該第一のシステム情報に対応する制御ドメインから、又は該第二の装置からのＭＡＣ層メッセージのリザーブ制御ドメインにおける該第一のシステム情報に対応する制御ビットから、該第一のＭＡＣ層指示情報を取得するように構成され、又は、該第二の装置からのＲＲＣ層メッセージの該第一のシステム情報に対応する制御ドメインから、又は該第二の装置からのＲＲＣ層メッセージのリザーブ制御ドメインにおける該第一のシステム情報に対応する制御ビットから、該第一のＲＲＣ層指示情報を取得するように構成される。
【０１１７】
選択可能に、該送信ユニット４２０はさらに、該装置４００で送信可能なシステム情報を示すための第二の指示情報を送信するように構成される。
【０１１８】
具体的には、ブロードキャストによって第二の指示情報を送信し、又は専用シグナリングによって第二の指示情報を送信することができる。
【０１１９】
選択可能に、該送信ユニット４２０はさらに、第二の物理層指示情報、第二のＭＡＣ層指示情報又は第二のＲＲＣ層指示情報である第二の指示情報をブロードキャストするように構成される。
【０１２０】
選択可能に、該送信ユニット４２０はさらに、異なる物理層チャネル、又は異なる物理リソースブロック、又は異なる物理層シーケンスによって異なるシステム情報又は異なるシステム情報グループに対応する第二の物理層指示情報を送信するように構成され、又はＲＲＣメッセージの異なる制御ドメインの又は同じ制御ドメインの異なる制御ビットによって異なるシステム情報又はシステム情報グループに対応する第二のＲＲＣ層指示情報を搬送するように構成され、又はＭＡＣメッセージの異なる制御ドメインの又は同じ制御ドメインの異なる制御ビットによって異なるシステム情報又はシステム情報グループに対応する第二のＭＡＣ層指示情報を搬送するように構成される。
【０１２１】
選択可能に、該システム情報は、セル選択及び滞在の関連情報、システム情報の所在する情報ブロックのスケジューリング情報、アクセス制限情報、共通チャネルパラメータ、ＭＢＳＦＮサブフレームの構成情報、セル再選関連情報、同周波数セル再選情報、異周波数セル再選情報、異システムセル再選情報のうちの少なくとも一つを含む。
【０１２２】
選択可能に、前記処理ユニット４１０はさらに、前記第一のシステム情報と関連する第二のシステム情報を確定するように構成され、前記送信ユニット４２０はさらに、前記第二のシステム情報を送信するように構成される。
【０１２３】
選択可能に、前記処理ユニット４１０はさらに、前記第一のシステム情報と同じシステム情報グループに属する他のシステム情報を前記第二のシステム情報として確定するように構成され、及び／又は、該第一のシステム情報を使用するサービスに使用される他のシステム情報を前記第二のシステム情報として確定するように構成される。
【０１２４】
図５は本出願の実施例による情報伝送装置５００の概略ブロック図である。図５に示すように、該装置５００は処理ユニット５１０と送信ユニット５２０を備え、該処理ユニット５１０が第一の指示情報を送信するためのリソースで信号を検出した場合、システム情報を送信する必要があることを確定するように構成され、該第一の指示情報が該システム情報をリクエストすることに用いられ、該送信ユニット５２０が該システム情報を送信するように構成される。
【０１２５】
選択可能に、該処理ユニット５１０はさらに、該リソースを使用して該第一の指示情報を送信することができるように構成される端末装置を確定するように構成され、該送信ユニット５２０はさらに該端末装置へ該システム情報を送信するように構成される。
【０１２６】
選択可能に、該リソースは物理チャネル又は物理リソースブロック又はアンテナポート又はコードワードシーケンスの一つ又は複数の組み合わせである。
【０１２７】
図６は本出願の実施例による情報伝送装置６００の概略ブロック図である。図６に示すように、該装置６００は送信ユニット６１０と処理ユニット６２０を備え、ここで、該送信ユニット６１０が該装置６００が必要とする第一のシステム情報を示すための第一の指示情報を送信するように構成され、該処理ユニット６２0が該第一の装置から送信された該システム情報を取得するように構成される。
【０１２８】
選択可能に、該処理ユニット６２０はさらに、該第一の装置がブロードキャスト、マルチキャスト又はユニキャストによって送信した該第一のシステム情報を取得するように構成される。
【０１２９】
選択可能に、該第一の装置は端末装置であり、該装置６００は端末装置であり、又は、該第一の装置はネットワーク装置であり、該装置６００は端末装置である。
【０１３０】
選択可能に、該送信ユニット６１０はさらに該第一の装置へ第一の物理層指示情報、第一のメディアアクセス制御（ＭＡＣ）層指示情報又は第一の無線リソース制御（ＲＲＣ）層指示情報である該第一の指示情報を送信するように構成される。
【０１３１】
選択可能に、該送信ユニット６１０はさらに該第一のシステム情報に対応する物理チャネル、又は物理リソースブロック、又は物理層シーケンスによって該第一の物理層指示情報を送信するように構成され、又はＭＡＣメッセージの該システム情報に対応する制御ドメイン、又はＭＡＣメッセージのリザーブ制御ドメインにおける該第一のシステム情報に対応する制御ビットによって該第一のＭＡＣ層指示情報を送信するように構成され、又は、ＲＲＣメッセージの該システム情報に対応する制御ドメイン、ＲＲＣメッセージのリザーブ制御ドメインにおける該第一のシステム情報に対応する制御ビットによって該第一のＲＲＣ層指示情報を送信するように構成される。
【０１３２】
選択可能に、該送信ユニット６１０が該第一のＭＡＣ層指示情報又は該第一のＲＲＣ層指示情報を送信する前に、該処理ユニット６２０はさらに該装置６００の物理層で共有チャネルによって情報を伝送することを確定するように構成される。
【０１３３】
選択可能に、該送信ユニット６１０が第一の装置へ第一の指示情報を送信する前に、該処理ユニット６２０はさらに該第一の装置から送信された、該第一の装置で送信可能なシステム情報を示すための第二の指示情報を取得し、該第二の指示情報に基づいて該第一の装置へ該第一の指示情報を送信するように構成され、該第一の指示情報に示されるシステム情報が該第一の装置で送信可能なシステム情報に属する。
【０１３４】
選択可能に、該処理ユニット６２０はさらに該第一の装置から送信された第二の物理層指示情報、第二のＭＡＣ層指示情報、又は第二のＲＲＣ層指示情報を取得するように構成される。
【０１３５】
選択可能に、該処理ユニット６２０はさらに異なる物理層チャネル、又は異なる物理層リソースブロック、又は異なる物理層シーケンスから、異なるシステム情報又は異なるシステム情報グループに対応する該第二の物理層指示情報を取得するように構成され、又はＲＲＣメッセージの異なる制御ドメインの又は同じ制御ドメインの異なる制御ビットから、異なるシステム情報又は異なるシステム情報グループに対応する該第二のＲＲＣ層指示情報を取得するように構成され、又はＭＡＣメッセージの異なる制御ドメインの又は同じ制御ドメインの異なる制御ビットから、異なるシステム情報又は異なるシステム情報グループに対応する第二のＭＡＣ層指示情報を取得するように構成される。
【０１３６】
選択可能に、該システム情報は、セル選択及び滞在の関連情報、システム情報の所在する情報ブロックのスケジューリング情報、アクセス制限情報、共通チャネルパラメータ、ＭＢＳＦＮサブフレームの構成情報、セル再選関連情報、同周波数セル再選情報、異周波数セル再選情報、異システムセル再選情報のうちの少なくとも一つを含む。
【０１３７】
図７は本出願の実施例による装置７００の概略ブロック図である。該装置７００はプロセッサ７１０、メモリ７２０と送受信機７３０を備える。メモリ７２０はプログラム命令を記憶することに用いられる。プロセッサ７１０はメモリ７２０に記憶されたプログラム命令を呼び出すことができる。送受信機７３０は外部通信に用いられ、選択可能に、装置７００はさらにプロセッサ７１０、メモリ７２０と送受信機７３０を相互に接続するバスシステム７４０を備える。
【０１３８】
選択可能に、該装置７００は上記第一の装置に対応することができ、図２及び選択可能な実施形態における第一の装置の対応する動作を実現することができ、図３及び選択可能な実施形態における第一の装置の対応する動作を実現することができる。
【０１３９】
選択可能に、該装置は上記第二の装置に対応することができ、図２及び選択可能な実施形態における第二の装置の対応する動作を実現することができる。
【０１４０】
以下にまず装置７００が図２及び選択可能な実施形態における第一の装置の対応する動作を実現することができる装置として使用されることを例として説明する。
【０１４１】
具体的には、プロセッサ７１０はメモリ７２０に記憶された命令を呼び出し、以下の動作を実行することができる：第二の装置から送信された、該第二の装置が必要とする第一のシステム情報を示すための第一の指示情報を取得し、該第一の指示情報を受信し、送受信機７３０によって該第一のシステム情報を送信する。
【０１４２】
選択可能に、プロセッサ７１０はメモリ７２０に記憶された命令を呼び出し、さらに以下の動作を実行することに用いられる：該第一の指示情報に基づき、送受信機７３０を使用してブロードキャスト、マルチキャスト又はユニキャストによって該第一のシステム情報を送信する。
【０１４３】
選択可能に、該装置７００は端末装置、該第二の装置は端末装置であり、又は、該装置７００はネットワーク装置であり、該第二の装置は端末装置である。
【０１４４】
選択可能に、プロセッサ７１０はメモリ７２０に記憶された命令を呼び出し、さらに以下の動作を実行することに用いられる：該第二の送信装置から送信された、第一の物理層指示情報、又は第一のメディアアクセス制御（ＭＡＣ）層指示情報、又は第一の無線リソース制御（ＲＲＣ）層指示情報である該第一の指示情報を取得する。
【０１４５】
選択可能に、プロセッサ７１０はメモリ７２０に記憶された命令を呼び出し、さらに以下の動作を実行することに用いられる：該第一のシステム情報に対応する物理層チャネル又は物理層リソースブロック又は物理層シーケンスから、該第二の装置からの該第一の物理層指示情報を取得し、又は、該第二の装置からのＭＡＣ層メッセージの該第一のシステム情報に対応する制御ドメインから、又は該第二の装置からのＭＡＣ層メッセージのリザーブ制御ドメインにおける該第一のシステム情報に対応する制御ビットから、該第一のＭＡＣ層指示情報を取得し、又は、該第二の装置からのＲＲＣ層メッセージの該第一のシステム情報に対応する制御ドメインから、又は該第二の装置からのＲＲＣ層メッセージのリザーブ制御ドメインにおける該第一のシステム情報に対応する制御ビットから、該第一のＲＲＣ層指示情報を取得する。
【０１４６】
選択可能に、プロセッサ７１０はメモリ７２０に記憶された命令を呼び出し、さらに以下の動作を実行することに用いられる：送受信機７３０によって該装置７００で送信可能なシステム情報を示すための第二の指示情報をブロードキャストする。
【０１４７】
選択可能に、プロセッサ７１０はメモリ７２０に記憶された命令を呼び出し、さらに以下の動作を実行することに用いられる：送受信機７３０によって第二の物理層指示情報、第二のＭＡＣ層指示情報又は第二のＲＲＣ層指示情報である該第二の指示情報を送信する。
【０１４８】
具体的には、ブロードキャストによって第二の指示情報を送信し、又は専用シグナリングによって第二の指示情報を送信することができる。
【０１４９】
選択可能に、プロセッサ７１０はメモリ７２０に記憶された命令を呼び出し、さらに以下の動作を実行することに用いられる：送受信機７３０を使用して異なる物理層チャネル、又は異なる物理リソースブロック、又は異なる物理層シーケンスによって異なるシステム情報又は異なるシステム情報グループに対応する第二の物理層指示情報を送信し、又は、ＲＲＣメッセージの異なる制御ドメインの又は同じ制御ドメインの異なる制御ビットによって異なるシステム情報又はシステム情報グループに対応する第二のＲＲＣ層指示情報を搬送し、又は、ＭＡＣメッセージの異なる制御ドメインの又は同じ制御ドメインの異なる制御ビットによって異なるシステム情報又はシステム情報グループに対応する第二のＭＡＣ層指示情報を搬送する。
【０１５０】
選択可能に、該システム情報は、セル選択及び滞在の関連情報、システム情報の所在する情報ブロックのスケジューリング情報、アクセス制限情報、共通チャネルパラメータ、ＭＢＳＦＮサブフレームの構成情報、セル再選関連情報、同周波数セル再選情報、異周波数セル再選情報、異システムセル再選情報のうちの少なくとも一つを含む。
【０１５１】
以下に装置７００が図１及び選択可能な実施形態における第二の装置の対応する動作を実現することができる装置として使用されることを例として説明する。
【０１５２】
具体的には、プロセッサ７１０はメモリ７２０に記憶された命令を呼び出し、以下の動作を実行することができる：送受信機７３０によって第一の装置へ該装置７００が必要とする第一のシステム情報を示すための第一の指示情報を送信し、該第一の装置から送信された該第一の指示情報を取得する。
【０１５３】
選択可能に、プロセッサ７１０はメモリ７２０に記憶された命令を呼び出し、さらに以下の動作を実行することに用いられる：該第一装置がブロードキャスト、マルチキャスト又はユニキャストによって送信した該第一のシステム情報を取得する。
【０１５４】
選択可能に、該第一の装置は端末装置であり、該装置７００は端末装置であり、又は、該第一の装置はネットワーク装置であり、該７００は端末装置である。
【０１５５】
選択可能に、プロセッサ７１０はメモリ７２０に記憶された命令を呼び出し、さらに以下の動作を実行することに用いられる：送受信機７３０を使用して該第一の装置へ第一の物理層指示情報、第一のメディアアクセス制御（ＭＡＣ）層指示情報、又は第一の無線リソース制御（ＲＲＣ）層指示情報である該第一の指示情報を送信する。
【０１５６】
選択可能に、プロセッサ７１０はメモリ７２０に記憶された命令を呼び出し、さらに以下の動作を実行することに用いられる：該第一のシステム情報に対応する物理層チャネル、又は物理リソースブロック、又は物理層シーケンスによって送受信機７３０で該第一の物理層指示情報を送信し、又はＭＡＣ層メッセージの該システム情報に対応する制御ドメイン、又はＭＡＣ層メッセージのリザーブ制御ドメインにおける該第一のシステム情報に対応する制御ビットによって送受信機７３０で該第一のＭＡＣ層指示情報を送信し、又は、ＲＲＣ層メッセージの該システム情報に対応する制御ドメイン、ＲＲＣ層メッセージのリザーブ制御ドメインにおける該第一のシステム情報に対応する制御ビットによって送受信機７３０で該第一のＲＲＣ層指示情報を送信する。
【０１５７】
選択可能に、プロセッサ７１０はメモリ７２０に記憶された命令を呼び出し、さらに以下の動作を実行することに用いられる：送受信機７３０を使用して該第一のＭＡＣ層指示情報又は該第一のＲＲＣ層指示情報を送信する前に、該装置７００の物理層で共有チャネルによって情報を伝送することを確定する。
【０１５８】
選択可能に、プロセッサ７１０はメモリ７２０に記憶された命令を呼び出し、さらに以下の動作を実行することに用いられる：送受信機７３０によって第一の装置へ第一の指示情報を送信する前に、該第一の装置から送信された、該第一の装置で送信可能なシステム情報を示すための第二の指示情報を取得し、該第二の指示情報に基づき、送受信機７３０によって該第一の装置へ該第一の指示情報を送信し、該第一の指示情報に示されるシステム情報が該第一の装置で送信可能なシステムに属する。
【０１５９】
選択可能に、プロセッサ７１０はメモリ７２０に記憶された命令を呼び出し、さらに以下の動作を実行することに用いられる：該第一の装置から送信された第二の物理層指示情報、第二のＭＡＣ層指示情報、又は第二のＲＲＣ層指示情報を取得する。
【０１６０】
選択可能に、プロセッサ７１０はメモリ７２０に記憶された命令を呼び出し、さらに以下の動作を実行することに用いられる：異なる物理層チャネル、又は異なる物理リソースブロック、又は異なる物理層シーケンスから、異なるシステム情報又は異なるシステム情報グループに対応する該第二の物理層指示情報を取得し、又は、ＲＲＣメッセージの異なる制御ドメインの又は同じ制御ドメインの異なる制御ビットから、異なるシステム情報又はシステム情報グループに対応する該第二のＲＲＣ層指示情報を取得し、又は、ＭＡＣメッセージの異なる制御ドメインの又は同じ制御ドメインの異なる制御ビットから、異なるシステム情報又はシステム情報グループに対応する第二のＭＡＣ層指示情報を取得する。
【０１６１】
選択可能に、該システム情報は、セル選択及び滞在の関連情報、システム情報の所在する情報ブロックのスケジューリング情報、アクセス制限情報、共通チャネルパラメータ、ＭＢＳＦＮサブフレームの構成情報、セル再選関連情報、同周波数セル再選情報、異周波数セル再選情報、異システムセル再選情報のうちの少なくとも一つを含む。
【０１６２】
以下に装置７００が図３及び選択可能な実施形態における第一の装置の対応する動作を実現することができる装置として使用されることを例として説明する。
【０１６３】
具体的には、プロセッサ７１０はメモリ７２０に記憶された命令を呼び出し、さらに以下の動作を実行することに用いられる：第一の指示情報を送信するためのリソースで信号を検出した場合、システム情報を送信する必要があることを確定し、該第一の指示情報が該システム情報をリクエストすることに用いられ、送受信機７３０によって該システム情報を送信する。
【０１６４】
選択可能に、プロセッサ７１０はメモリ７２０に記憶された命令を呼び出し、さらに以下の動作を実行することに用いられる：該リソースを使用して該第一の指示情報を送信することができるように構成される端末装置を確定し、該端末装置へ該システム情報を送信する。
【０１６５】
選択可能に、該リソースは物理チャネル又は物理リソースブロック又はアンテナポート又はコードワードシーケンスの一つ又は複数の組み合わせである。
【０１６６】
理解すべきものとして、本出願の実施例に記載される、プロセッサ７１０がメモリに記憶された命令を呼び出して他の装置から送信された指示情報又はシステム情報を取得することは送受信機によって情報の検出を行い、さらに情報の復調などを行うことであってもよい。
【０１６７】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１６８】
当業者は便宜上且つ簡潔に説明するために、上述したシステム、装置とユニットの具体的な動作プロセスについて上記方法の実施例における対応するプロセスを参照することでき、ここでは説明を省略することを明確に理解することができる。
【０１６９】
本出願が提供するいくつかの実施例では、開示されたシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得る。例えば、複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１７０】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１７１】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０１７２】
前記機能はソフトウェア機能ユニットの形態で実現され且つ独立した製品として販売又は使用される場合、一つのコンピュータ可読記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１７３】
以上は、本発明の具体的な実施形態に過ぎず、本発明の保護範囲はこれに制限されず、当業者が本発明に開示された技術範囲内で容易に想到し得る変化又は入れ替わりの全てが本発明の保護範囲内に含まれるべきである。したがって、本発明の保護範囲は特許請求の範囲によって準拠するべきである。
【図１】
2019522912.tif 000003
【図２】
2019522912.tif 000004
【図３】
2019522912.tif 000005
【図４】
2019522912.tif 000006
【図５】
2019522912.tif 000007
【図６】
2019522912.tif 000008
【図７】
2019522912.tif 000009
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
情報伝送方法であって、
第一の装置が第二の装置から送信された、前記第二の装置が必要とする第一のシステム情報をリクエストするための第一の指示情報を取得することと、
前記第一の装置が前記第一の指示情報に基づき、前記第一のシステム情報を送信することとを含む、情報伝送方法。
【請求項２】
前記第一の装置が第二の装置から送信された第一の指示情報を取得する前に、前記方法はさらに、
前記第一の装置が前記第一の装置で送信可能なシステム情報を示すための第二の指示情報を、ブロードキャスト又は専用シグナリングによって送信することを含むことを特徴とする
請求項１に記載の方法。
【請求項３】
前記第一の装置が第二の指示情報をブロードキャストすることは、
前記第一の装置が第二の物理層指示情報又は第二のメディアアクセス制御（ＭＡＣ）層指示情報又は第二の無線リソース制御（ＲＲＣ）層指示情報である前記第二の指示情報をブロードキャストすることを含み、
前記第一の装置が前記第二の指示情報をブロードキャストすることは、
前記第一の装置が異なる物理層チャネル、又は異なる物理リソースブロック、又は異なる物理層シーケンスによって異なるシステム情報又は異なるシステム情報グループに対応する第二の物理層指示情報を送信すること、又は
前記第一の装置がＲＲＣメッセージの異なる制御ドメインの又は同じ制御ドメインの異なる制御ビットによって異なるシステム情報又はシステム情報グループに対応する第二のＲＲＣ層指示情報を搬送すること、又は
前記第一の装置がＭＡＣメッセージの異なる制御ドメインの又は同じ制御ドメインの異なる制御ビットによって異なるシステム情報又はシステム情報グループに対応する第二のＭＡＣ層指示情報を搬送することを含み、
前記方法はさらに、
前記第一の装置が前記第一のシステム情報と関連する第二のシステム情報を確定することと、
前記第一の装置が前記第二のシステム情報を送信することとを含み、
前記第一の装置が第二のシステム情報を確定することは、
前記第一のシステム情報と同じシステム情報グループに属する他のシステム情報を前記第二のシステム情報として確定すること、及び／又は、
前記第一のシステム情報を使用するサービスに使用される他のシステム情報を前記第二のシステム情報として確定することを含むことを特徴とする
請求項２に記載の方法。
【請求項４】
情報伝送方法であって、
第一の装置が、第二の装置が第一の指示情報を送信するための無線リソースでシーケンスを検出した場合、システム情報を送信する必要があることを確定し、前記第一の指示情報が前記システム情報をリクエストすることに用いられることと、
前記第一の装置が前記システム情報を送信することとを含む、情報伝送方法。
【請求項５】
前記第一の装置が前記システム情報を送信することは、
前記リソースを使用して前記第一の指示情報を送信することができるように構成される端末装置を確定することを含み、
前記第一の装置が前記システム情報を送信することは、前記端末装置へ前記システム情報を送信することを含み、
前記リソースは物理チャネル又は物理リソースブロック又はアンテナポート又はコードワードシーケンスの一つ又は複数の組み合わせであることを特徴とする
請求項４に記載の方法。
【請求項６】
情報伝送方法であって、
第二の装置が前記第二の装置が必要とする第一のシステム情報をリクエストするための第一の指示情報を第一の装置に送信することと、
前記第二の装置が前記第一の装置から送信された前記第一のシステム情報を取得することとを含む、情報伝送方法。
【請求項７】
前記第二の装置が前記第一の装置から送信された前記第一のシステム情報を取得することは、
前記第二の装置が前記第一の装置がブロードキャスト、マルチキャスト又はユニキャストによって送信した前記第一のシステム情報を取得することを含むことを特徴とする
請求項６に記載の方法。
【請求項８】
前記第一の装置は端末装置であり、前記第二の装置は端末装置であり、又は、
前記第一の装置はネットワーク装置であり、前記第二の装置は端末装置であることを特徴とする
請求項６又は７に記載の方法。
【請求項９】
第二の装置が第一の装置へ第一の指示情報を送信することは、
前記第二の装置が前記第一の装置へ第一の物理層指示情報又は第一のメディアアクセス制御（ＭＡＣ）層指示情報又は第一の無線リソース制御（ＲＲＣ）層指示情報である前記第一の指示情報を送信することを含むことを特徴とする
請求項６乃至８のいずれか一項に記載の方法。
【請求項１０】
前記第二の装置が前記第一の装置へ前記第一の指示情報を送信することは、
前記第二の装置が前記第一のシステム情報に対応する物理チャネル、又は物理リソースブロック、又は物理層シーケンスのうちの一つ、又はそれらの組み合わせによって前記第一の物理層指示情報を送信すること、又は
前記第二の装置がＭＡＣメッセージの前記システム情報に対応する制御ドメイン、又はＭＡＣメッセージのリザーブ制御ドメインにおける前記第一のシステム情報に対応する制御ビットによって前記第一のＭＡＣ層指示情報を送信すること、又は、
前記第二の装置がＲＲＣメッセージの前記システム情報に対応する制御ドメイン、ＲＲＣメッセージのリザーブ制御ドメインにおける前記第一のシステム情報に対応する制御ビットによって前記第一のＲＲＣ層指示情報を送信することを含むことを含むことを特徴とする
請求項９に記載の方法。
【請求項１１】
前記第二の装置が前記第一のＭＡＣ層指示情報又は前記第一のＲＲＣ層指示情報を送信する前に、前記方法はさらに、
前記第二の装置が前記第二の装置の物理層で共有チャネルによって情報を伝送することを確定することを含むことを特徴とする
請求項１０に記載の方法。
【請求項１２】
前記第二の装置が第一の装置へ第一の指示情報を送信する前に、前記方法はさらに、
前記第二の装置が前記第一の装置から送信された、前記第一の装置で送信可能なシステム情報を示すための第二の指示情報を取得することを含み、
前記第二の装置が第一の装置へ第一の指示情報を送信することは、
前記第二の装置が前記第二の指示情報に基づいて前記第一の装置へ前記第一の指示情報を送信し、前記第一のシステム情報が前記第一の装置で送信可能なシステム情報に属することを含むことを特徴とする
請求項６乃至１１のいずれか一項に記載の方法。
【請求項１３】
前記第二の装置が前記第一の装置から送信された第二の指示情報を取得することは、
前記第二の装置が前記第一の装置から送信された第二の物理層指示情報、第二のＭＡＣ層指示情報、又は第二のＲＲＣ層指示情報を取得することを含み、
前記第二の装置が前記第一の装置から送信された第二の物理層指示情報、第二のＭＡＣ層指示情報、又は第二のＲＲＣ層指示情報を取得することは、
前記第二の装置が異なる物理層チャネル、又は異なる物理層リソースブロック、又は異なる物理層シーケンスから、異なるシステム情報又は異なるシステム情報グループに対応する前記第二の物理層指示情報を取得すること、又は
前記第二の装置がＲＲＣメッセージの異なる制御ドメインの又は同じ制御ドメインの異なる制御ビットから、異なるシステム情報又は異なるシステム情報グループに対応する前記第二のＲＲＣ層指示情報を取得すること、又は
前記第二の装置がＭＡＣメッセージの異なる制御ドメインの又は同じ制御ドメインの異なる制御ビットから、異なるシステム情報又は異なるシステム情報グループに対応する第二のＭＡＣ層指示情報を取得することを含むことを特徴とする
請求項１２に記載の方法。
【請求項１４】
前記方法はさらに、
前記第二の装置が前記第一の装置から送信された、前記第一のシステム情報と関連する第二のシステム情報を受信することを含むことを特徴とする
請求項６乃至１３のいずれか一項に記載の方法。
【請求項１５】
前記システム情報は、
セル選択及び滞在の関連情報、システム情報の所在する情報ブロックのスケジューリング情報、アクセス制限情報、共通チャネルパラメータ、マルチメディアブロードキャストマルチキャストサービス単一周波数ネットワーク（ＭＢＳＦＮ）サブフレームの構成情報、セル再選関連情報、同周波数セル再選情報、異周波数セル再選情報、異システムセル再選情報のうちの少なくとも一つを含むことを特徴とする
請求項６乃至１４のいずれか一項に記載の方法。
【国際調査報告】
2019522912.tif 000010
2019522912.tif 000011
2019522912.tif 000012
2019522912.tif 000013